(57)【要約】【課題】プリント基板のパターンを利用し、しかもリフロー実装によりプリント基板に取り付ける全ての部材を同時にプリント基板に半田付けすることができる回転つまみを有する電子機器の操作装置を提供する。【解決手段】中空部を有し回転つまみ２により操作する操作部１をプリント基板５に取り付け、電子部品３が前記中空部に配置されてプリント基板５に取り付けられる回転つまみを有する電子機器の操作装置において、プリント基板５の前記中空部内で前記電子部品３の側部の位置に穴５ａ、５ａを設けた。【選択図】        図３
2004281173.tif 000002
【特許請求の範囲】
【請求項１】
中空部を有し回転つまみにより操作する操作部をプリント基板に取り付け、電子部品が前記中空部に配置されてプリント基板に取り付けられる回転つまみを有する電子機器の操作装置において、プリント基板の前記中空部内で前記電子部品の側部の位置に穴を設けたことを特徴する回転つまみを有する電子機器の操作装置。
【請求項２】
前記操作部がロータリエンコーダである請求項１の回転つまみを有する電子機器の操作装置。
【請求項３】
前記電子部品がプッシュスイッチである請求項１または２の回転つまみを有する電子機器の操作装置。
【請求項４】
前記電子部品が光源である請求項１または２の回転つまみを有する電子機器の操作装置。
【発明の詳細な説明】
【０００１】
【発明の属する技術分野】
この発明は回転つまみを有する電子機器の操作装置に関する。
【０００２】
【従来の技術】
従来、回転つまみにより操作するロータリスイッチ部の内側に例えばプッシュスイッチを配置してこのプッシュスイッチを回転つまみの内側に設けたプッシュつまみで操作する電子機器の操作装置が知られている。
【０００３】
特開平１１−２７３５０８号公報に開示されたこのような操作装置はロータリスイッチ部、プッシュスイッチ等がハウジング（ウエハ１）に一体に取り付けられている。このようにハウジングにロータリスイッチ部やプッシュスイッチ等を取り付けると部品が複雑となり、製造コストが高くなるという問題があった。
【０００４】
図６〜図８に示す従来の操作装置はプリント基板５にロータリエンコーダ１およびプッシュスイッチ３が半田付けされる。ロータリエンコーダ１は図７および図８に示すように、固定接点１ａ、１ａ…が設けられており、固定接点１ａ、１ａ…と接続されている端子１ｂ、１ｂ…がプリント基板５の穴に差し込まれてプリント基板５のパターンに半田付けされる。
【０００５】
回転つまみ２はロータリエンコーダ１に回転自在に支持される。すなわち、回転つまみ２をロータリエンコーダ１に押し込むことにより、回転つまみ２の嵌合凸部２ａがロータリエンコーダ１の嵌合凹部１ｃと嵌合して回転つまみ２はロータリエンコーダ１に回転自在に支持される。
【０００６】
回転つまみ２には摺動子２ｂが設けられており、回転つまみ２の回動位置に応じた摺動子２ｂとの固定接点１ａ、１ａ…の接触状態を示す信号が端子１ｂ、１ｂ…を通して制御回路に伝えられる。
【０００７】
プッシュスイッチ３の上部にはプッシュつまみ４が配置され、プッシュつまみ４のフック４ｂ、４ｂが回転つまみ２の穴の縁を係止することにより抜け止めがなされている。プッシュつまみ４は図示していない弾性部材により上方に付勢されているが、弾性部材の弾力に抗して押し込むとプッシュつまみ４のボス４ａがプッシュスイッチ３を作動させる。上記回転つまみ２およびプッシュつまみ４は図６に示すようにパネル８の穴から外部に露出しており、パネル８の外から操作可能となっている。
【０００８】
上記した図６〜図８に示す従来の操作装置ではプッシュスイッチ３とロータリエンコーダ１を同時にリフロー実装すると、ロータリエンコーダ１により熱が遮られてプッシュスイッチ３の半田が溶けずプッシュスイッチ３の半田付け不良を生じる。従って、ロータリエンコーダ１を後で手で半田付けしていた。そのために組立てコストが高くなっていた。また、プッシュつまみ４を外すときは、力任せで引っ張るしか方法がなく、プッシュつまみ４や回転つまみ２等を破壊することがあった。
【０００９】
特開２００２−２５３９４号公報に開示された複合操作スイッチはロータリスイッチの内側に多方向操作スイッチ等が配置されているが、基本的に上記した図６〜図８に示す従来のものと同じ構造であるため、同様の問題があった。
【００１０】
【特許文献１】
特開１１−２７３５０８号公報（第３頁、図１）
【００１１】
【特許文献２】
特開２００２−２５３９４号公報（第３−５頁、図１）
【００１２】
【発明が解決しようとする課題】
この発明は上記した点に鑑みてなされたものであって、その目的とするところは、プリント基板のパターンを利用し、しかもリフロー実装によりプリント基板に取り付ける全ての部材を同時にプリント基板に半田付けすることができる回転つまみを有する電子機器の操作装置を提供することにある。
【００１３】
この発明の他の目的は破損の恐れなく分解することができる回転つまみを有する電子機器の操作装置を提供することである。
【００１４】
【課題を解決するための手段】
この発明の回転つまみを有する電子機器の操作装置は、中空部を有し回転つまみにより操作する操作部をプリント基板に取り付け、電子部品が前記中空部に配置されてプリント基板に取り付けられる回転つまみを有する電子機器の操作装置において、プリント基板の前記中空部内で前記電子部品の側部の位置に穴を設けたものである。
【００１５】
また、前記操作装置において、前記操作部をロータリエンコーダとしたものである。
【００１６】
また、前記各操作装置において、前記電子部品をプッシュスイッチとしたものである。
【００１７】
また、同各操作装置において、前記電子部品を光源としたものである。
【００１８】
【発明の実施の形態】
この発明の実施例である回転つまみを有する電子機器の操作装置を図面に基づいて説明する。図１はこの発明の第１の実施例である回転つまみを有する電子機器の操作装置の部分を示す正面図、図２は同部分を示す断面図、図３は同操作装置を示す断面図である。
【００１９】
図１〜図３に示すロータリエンコーダ１は、固定接点１ａ、１ａ…が設けられており、固定接点１ａ、１ａ…と接続されている端子１ｂ、１ｂ…がプリント基板５の穴に差し込まれてプリント基板５のパターンに半田付けされる。ロータリエンコーダ１の内側に配置されるプッシュスイッチ３の足もプリント基板５の穴に差し込まれてプリント基板５のパターンに半田付けされる。
【００２０】
回転つまみ２はロータリエンコーダ１に回転自在に支持される。すなわち、回転つまみ２をロータリエンコーダ１に押し込むことにより、回転つまみ２の嵌合凸部２ａがロータリエンコーダ１の嵌合凹部１ｃと嵌合して回転つまみ２はロータリエンコーダ１に回転自在に支持される。
【００２１】
回転つまみ２には摺動子２ｂが設けられており、回転つまみ２の回動位置に応じた摺動子２ｂとの固定接点１ａ、１ａ…の接触状態を示す信号が端子１ｂ、１ｂ…を通して制御回路に伝えられる。
【００２２】
プッシュスイッチ３の上部にはプッシュつまみ４が配置され、プッシュつまみ４のフック４ｂ、４ｂが回転つまみ２の穴の縁を係止することにより抜け止めがなされている。プッシュつまみ４は図示していない弾性部材により上方に付勢されているが、弾性部材の弾力に抗して押し込むとプッシュつまみ４のボス４ａがプッシュスイッチ３を作動させる。
【００２３】
なお、プッシュつまみ４をプッシュスイッチ３のアクチュエータにより上方に付勢するようにしてもよい。上記回転つまみ２およびプッシュつまみ４は図３に示すようにパネル８の穴から外部に露出しており、パネル８の外から操作可能となっている。
【００２４】
実施例の装置ではプリント基板５のロータリエンコーダ１の内側でプッシュスイッチ３の両側部に穴５ａ、５ａが設けられている。従って、ロータリエンコーダ１とプッシュスイッチ３とを同時にリフロー実装しても、穴５ａ、５ａからプッシュスイッチ３に熱が伝わりプッシュスイッチ３の半田付けを確実に行うことができる。このように実装の工程が簡素化される。
【００２５】
また、装置を分解するときは、図３に示すように穴５ａ、５ａにピンセット１０を差し込んでフック４ｂ、４ｂを変形させることにより、プッシュつまみ４を容易に取り外すことができる。
【００２６】
図４はこの発明の第２の実施例である回転つまみを有する電子機器の操作装置の部分を示す正面図である。この例では第１の実施例のプッシュスイッチ３の代わりにＬＥＤ６がプリント基板５に実装される。
【００２７】
そして、プッシュつまみ４は用いられていない。他の構成は第１の実施例と同様である。ＬＥＤ６は回転つまみを内部から照明する。この実施例においてもＬＥＤ６とロータリエンコーダ１とを同時にリフロー実装しても、穴５ａ、５ａからＬＥＤ６に熱が伝わりＬＥＤ６の半田付けが確実に行える。このように実装の工程が簡素化される。
【００２８】
図５はこの発明の第３の実施例である回転つまみを有する電子機器の操作装置を示す断面図である。この例では第１の実施例のプッシュつまみ４の代わりにプッシュつまみ７が用いられ、プッシュつまみ７のフック７ｂ、７ｂはプリント基板５の穴５ａ、５ａを挿通して穴５ａ、５ａの縁を係止する。他の構成は第１の実施例と同様である。
【００２９】
この実施例においてもプッシュスイッチ３とロータリエンコーダ１とを同時にリフロー実装しても、穴５ａ、５ａからプッシュスイッチ３に熱が伝わりプッシュスイッチ３の半田付けが確実に行える。このように実装の工程が簡素化される。また、フック７ｂ、７ｂはプリント基板５の外側に露出しているので容易に変形させることができ、プッシュつまみ７を容易に取り外すことができる。
【００３０】
実施例は以上のように構成されているが発明はこれに限られず、例えば、ロータリエンコーダの代わりにボリュームを用いることも可能である。
【００３１】
【発明の効果】
この発明の回転つまみを有する電子機器の操作装置によれば、回転つまみにより操作する操作部とその内側に配置される電子部品とを同時にリフロー実装することができ、組立てが簡単になる。
【００３２】
また、回転つまみを容易に取り外すことができ、装置分解時において破損の恐れがなくなるという効果を得ることができる。
【図面の簡単な説明】
【図１】この発明の第１の実施例である回転つまみを有する電子機器の操作装置の部分を示す正面図である。
【図２】同操作装置の部分を示す断面図である。
【図３】同操作装置を示す断面図である。
【図４】この発明の第２の実施例である回転つまみを有する電子機器の操作装置の部分を示す正面図である。
【図５】この発明の第３の実施例である回転つまみを有する電子機器の操作装置を示す断面図である。
【図６】従来の回転つまみを有する電子機器の操作装置を示す正面図である。
【図７】同操作装置の部分を示す正面図である。
【図８】同操作装置を示す断面図である。
【符号の説明】
１  ロータリエンコーダ、１ａ  固定接点、１ｂ  端子、１ｃ  嵌合凹部
２  回転つまみ、２ａ  嵌合凸部、２ｂ  摺動子
３  プッシュスイッチ
４  プッシュつまみ、４ａ  ボス、４ｂ  フック
５  プリント基板、５ａ  穴
６  ＬＥＤ
７  プッシュつまみ、７ａ  ボス、７ｂ  フック
８  パネル
１０  ピンセット
【図１】
2004281173.tif 000003
【図２】
2004281173.tif 000004
【図３】
2004281173.tif 000005
【図４】
2004281173.tif 000006
【図５】
2004281173.tif 000007
【図６】
2004281173.tif 000008
【図７】
2004281173.tif 000009
【図８】
2004281173.tif 000010